(57)【要約】【課題】ヒートポンプ式の空調装置の出力と成績係数（ＣＯＰ）との関係特性を有効に利用し、さらなるエネルギー効率の向上を図ることができる空調システムを提供する。【解決手段】ヒートポンプ式のエアコンディショナーの屋内機５により建物１の空調を行う空調システムであって、記憶部５５と、制御部５４とを有し、記憶部５５は、エアコンディショナーの屋内機５の出力と成績係数（ＣＯＰ）との関係特性のデータを記憶しており、制御部５４は、記憶部５５に記憶されたデータに基づいて、エアコンディショナーの屋内機５を成績係数（ＣＯＰ）が略最大となる出力で運転させるとともに、エアコンディショナーの屋内機５により、一部の出力で、建物１の屋内空間としての床上空間６を設定温度に空調し、残りの出力で、蓄熱手段としての床下空間３に蓄熱する構成とされている。【選択図】図１
2014240742.tif 000002
【特許請求の範囲】
【請求項１】
ヒートポンプ式の空調装置により建物の空調を行う空調システムであって、
記憶部と、制御部とを有し、
前記記憶部は、前記空調装置の出力と成績係数（ＣＯＰ）との関係特性のデータを記憶しており、
前記制御部は、前記記憶部に記憶されたデータに基づいて、前記空調装置を前記成績係数（ＣＯＰ）が略最大となる出力で運転させるとともに、前記空調装置により、一部の出力で、前記建物の屋内空間を設定温度に空調し、残りの出力で、蓄熱手段に蓄熱することを特徴とする空調システム。
【請求項２】
前記蓄熱手段は、床下空間であり、前記屋内空間は、該床下空間の直上の床上空間であることを特徴とする請求項１に記載の空調システム。
【請求項３】
前記床下空間内に前記空調装置が設置されていることを特徴とする請求項２に記載の空調システム。
【請求項４】
前記床下空間内に蓄熱材が設けられていることを特徴とする請求項２又は３に記載の空調システム。
【請求項５】
前記蓄熱材は、前記床下空間の床面にスペーサーを介して設けられていることを特徴とする請求項４に記載の空調システム。
【請求項６】
前記蓄熱材は、前記床下空間内にスペーサーを介して相互間に間隔を有するように複数個設けられていることを特徴とする請求項４に記載の空調システム。
【請求項７】
前記屋内空間を空調するために前記空調装置と前記屋内空間との間を連通するように設けられたダクト内に蓄熱材が設けられていることを特徴とする請求項１乃至６のいずれか１項に記載の空調システム。
【請求項８】
前記蓄熱材が設けられている前記ダクトの部分は、他の部分よりも口径が大きいダクトボックスとされていることを特徴とする請求項７に記載の空調システム。
【請求項９】
前記蓄熱材は、潜熱蓄熱材であることを特徴とする請求項４乃至８のいずれか１項に記載の空調システム。
【請求項１０】
前記建物の外側には、前記制御部と有線又は無線で接続された外気温度センサーが設けられており、前記記憶部は、異なる外気温度に対応した前記空調装置の出力と成績係数（ＣＯＰ）との関係特性のデータを記憶しており、前記制御部は、前記外気温度センサーで検知した外気温度に対応する前記記憶部に記憶されたデータに基づいて、前記空調装置を運転させることを特徴とすることを特徴とする請求項１乃至９のいずれか１項に記載の空調システム。
【請求項１１】
前記屋内空間には、前記制御部と有線又は無線で接続された内気温度センサーが設けられており、設定温度に達すると、前記制御部は、必要なだけの出力で、該屋内空間を空調し、残りの出力で、前記蓄熱手段に蓄熱することを特徴とする請求項１乃至１０のいずれか１項に記載の空調システム。
【請求項１２】
前記屋内空間が設定温度に達するとともに、前記蓄熱手段が目標の蓄熱量に達したときは、前記制御部は、前記空調装置の運転を停止することを特徴とする請求項１乃至１１のいずれか１項に記載の空調システム。
【請求項１３】
前記屋内空間の設定温度は幅を有することを特徴とする請求項１２に記載の空調システム。
【請求項１４】
さらに第２の蓄熱手段が設けられており、該第２の蓄熱手段も、前記空調装置の残りの出力で、蓄熱することが可能であることを特徴とする請求項１乃至１３のいずれか１項に記載の空調システム。
【請求項１５】
前記第２の蓄熱手段は、地中に埋設された地中蓄熱部であり、該地中蓄熱部に蓄熱された熱は、前記空調装置による空調に利用可能であることを特徴とする請求項１４に記載の空調システム。
【請求項１６】
請求項１乃至１５のいずれか１項に記載の空調システムを備えていることを特徴とする建物。
【発明の詳細な説明】
【技術分野】
【０００１】
本発明は、ヒートポンプ式の空調装置を用いた空調システム、及びこの空調システムを備えた建物に関するものである。
【背景技術】
【０００２】
従来から、ヒートポンプ式の空調装置を用いた空調システムに関する技術は多く提案され、実施に供されている。
【０００３】
このような従来のヒートポンプ式の空調装置を用いた空調システムでは、極力エネルギー効率が良くなるように、この空調装置による空調に必要な出力に対応する最大の成績係数（ＣＯＰ）に近づけて運転を行うことがなされていた（例えば、特許文献１等を参照）。
【先行技術文献】
【特許文献】
【０００４】
【特許文献１】特開２０１０−２１５８号公報
【発明の概要】
【発明が解決しようとする課題】
【０００５】
ところで、成績係数（ＣＯＰ）は、一定の出力の値以下では、空調装置の出力が大きいほど大きな値となり、これ以上は空調装置の出力が大きいほど小さい値となる特性を有することが知られている。
【０００６】
しかしながら、このヒートポンプ式の空調装置の出力と成績係数（ＣＯＰ）との関係特性において、略最大の成績係数（ＣＯＰ）となる出力で空調装置を単に運転しても、ほとんどの場合、必要な出力はこれよりも小さいため、余分な出力分が得られるだけで、かえってエネルギー効率が低下してしまうので、従来においては、このようなことはなされていなかった。
【０００７】
そこで、本発明は、ヒートポンプ式の空調装置の出力と成績係数（ＣＯＰ）との関係特性を有効に利用し、さらなるエネルギー効率の向上を図ることができる空調システム、及びこの空調システムを備えた建物を提供することを目的としている。
【課題を解決するための手段】
【０００８】
前記目的を達成するために、本発明の空調システムは、ヒートポンプ式の空調装置により建物の空調を行う空調システムであって、記憶部と、制御部とを有し、前記記憶部は、前記空調装置の出力と成績係数（ＣＯＰ）との関係特性のデータを記憶しており、前記制御部は、前記記憶部に記憶されたデータに基づいて、前記空調装置を前記成績係数（ＣＯＰ）が略最大となる出力で運転させるとともに、前記空調装置により、一部の出力で、前記建物の屋内空間を設定温度に空調し、残りの出力で、蓄熱手段に蓄熱することを特徴とする。
【０００９】
ここで、前記蓄熱手段は、床下空間であり、前記屋内空間は、該床下空間の直上の床上空間であるとよい。
【００１０】
また、前記床下空間内に前記空調装置が設置されているとよい。
【００１１】
さらに、前記床下空間内に蓄熱材が設けられていてもよい。
【００１２】
また、前記蓄熱材は、前記床下空間の床面にスペーサーを介して設けられていてもよい。
【００１３】
また、前記蓄熱材は、前記床下空間内にスペーサーを介して相互間に間隔を有するように複数個設けられていてもよい。
【００１４】
さらに、前記屋内空間を空調するために前記空調装置と前記屋内空間との間を連通するように設けられたダクト内に蓄熱材が設けられていてもよい。
【００１５】
ここで、前記蓄熱材が設けられている前記ダクトの部分は、他の部分よりも口径が大きいダクトボックスとされているとよい。
【００１６】
また、前記蓄熱材は、潜熱蓄熱材であるとよい。
【００１７】
さらに、前記建物の外側には、前記制御部と有線又は無線で接続された外気温度センサーが設けられており、前記記憶部は、異なる外気温度に対応した前記空調装置の出力と成績係数（ＣＯＰ）との関係特性のデータを記憶しており、前記制御部は、前記外気温度センサーで検知した外気温度に対応する前記記憶部に記憶されたデータに基づいて、前記空調装置を運転させるとよい。
【００１８】
また、前記屋内空間には、前記制御部と有線又は無線で接続された内気温度センサーが設けられており、設定温度に達すると、前記制御部は、必要なだけの出力で、該屋内空間を空調し、残りの出力で、前記蓄熱手段に蓄熱するとよい。
【００１９】
さらに、前記屋内空間が設定温度に達するとともに、前記蓄熱手段が目標の蓄熱量に達したときは、前記制御部は、前記空調装置の運転を停止するとよい。
【００２０】
また、前記屋内空間の設定温度は幅を有するとよい。
【００２１】
さらに、第２の蓄熱手段が設けられており、該第２の蓄熱手段も、前記空調装置の残りの出力で、蓄熱することが可能であってもよい。
【００２２】
ここで、前記第２の蓄熱手段は、地中に埋設された地中蓄熱部であり、該地中蓄熱部に蓄熱された熱は、前記空調装置による空調に利用可能であるとよい。
【００２３】
本発明の建物は、上記した本発明の空調システムを備えていることを特徴とする。
【発明の効果】
【００２４】
このような本発明の空調システムは、ヒートポンプ式の空調装置により建物の空調を行う空調システムである。
【００２５】
そして、記憶部と、制御部とを有し、記憶部は、空調装置の出力と成績係数（ＣＯＰ）との関係特性のデータを記憶しており、制御部は、記憶部に記憶されたデータに基づいて、空調装置を成績係数（ＣＯＰ）が略最大となる出力で運転させるとともに、空調装置により、一部の出力で、建物の屋内空間を設定温度に空調し、残りの出力で、蓄熱手段に蓄熱する構成とされている。
【００２６】
上記した構成なので、空調装置の出力と成績係数（ＣＯＰ）との関係特性から成績係数（ＣＯＰ）が略最大となる出力で空調装置を運転し、この空調装置により、一部の出力で、建物の屋内空間の空調を行い、残りの出力で、蓄熱手段に蓄熱し、この蓄熱した熱を後の時間に利用（時間差利用）することができる。
【００２７】
すなわち、ヒートポンプ式の空調装置の出力と成績係数（ＣＯＰ）との関係特性を有効に利用し、さらなるエネルギー効率の向上を図ることができる。
【００２８】
ここで、蓄熱手段は、床下空間であり、屋内空間は、床下空間の直上の床上空間である場合は、床下空間から床部を介して、床上空間をムラなく空調する床下空調を行うことができる。
【００２９】
また、床下空間内に空調装置が設置されている場合は、年を通して安定した温度環境であり、通常はデッドスペースである床下空間を有効利用することができる。
【００３０】
さらに、床下空間内に蓄熱材が設けられている場合は、この蓄熱材により、蓄熱手段としての床下空間の蓄熱能力が向上する。
【００３１】
また、蓄熱材は、床下空間の床面にスペーサーを介して設けられている場合は、蓄熱材の下側からも蓄熱することができ、蓄熱材の蓄熱能力をより発揮させることができる。
【００３２】
また、蓄熱材は、床下空間内にスペーサーを介して相互間に間隔を有するように複数個設けられている場合は、複数個の蓄熱材は、上側と下側の双方から蓄熱することができ、蓄熱材の蓄熱能力をさらにより発揮させることができる。
【００３３】
さらに、屋内空間を空調するために空調装置と屋内空間との間を連通するように設けられたダクト内に蓄熱材が設けられている場合は、ダクト内の蓄熱材に蓄熱した熱を利用して床上空調を行うことができる。
【００３４】
ここで、蓄熱材が設けられているダクトの部分は、他の部分よりも口径が大きいダクトボックスとされている場合は、蓄熱材を設けるスペースが大きい分、蓄熱量が多いより大きな蓄熱材を設けることができる。
【００３５】
また、蓄熱材は、潜熱蓄熱材である場合は、潜熱蓄熱材は、少量で多くの蓄熱ができるうえに、必要としている時間にシフトして利用することができる性質を有するので、熱エネルギーをより効率的に用いることができる。
【００３６】
さらに、建物の外側には、制御部と有線又は無線で接続された外気温度センサーが設けられており、記憶部は、異なる外気温度に対応した空調装置の出力と成績係数（ＣＯＰ）との関係特性のデータを記憶しており、制御部は、外気温度センサーで検知した外気温度に対応する記憶部に記憶されたデータに基づいて、空調装置を運転させる場合は、外気温度により変化する空調装置の出力と成績係数（ＣＯＰ）との関係特性に対応して、空調装置を、成績係数（ＣＯＰ）が略最大となる出力で運転することができる。
【００３７】
また、屋内空間には、制御部と有線又は無線で接続された内気温度センサーが設けられており、設定温度に達すると、制御部は、必要なだけの出力で、屋内空間を空調し、残りの出力で、蓄熱手段に蓄熱する場合は、主たる目的である屋内空間の空調装置による空調を優先的に行うことができる。
【００３８】
さらに、屋内空間が設定温度に達するとともに、蓄熱手段が目標の蓄熱量に達したときは、制御部は、空調装置の運転を停止する場合は、無駄な消費電力を排除し、さらによりエネルギー効率の向上を図ることができる。
【００３９】
また、屋内空間の設定温度は幅を有する場合は、頻繁な運転のオン・オフをしないで済む。
【００４０】
さらに、第２の蓄熱手段が設けられており、第２の蓄熱手段も、空調装置の残りの出力で、蓄熱することが可能である場合は、蓄熱手段に蓄熱する必要がないときや、蓄熱手段に蓄熱しても、なお余剰分の出力があるときなどに、エネルギー効率の向上を図ることができる。
【００４１】
ここで、第２の蓄熱手段は、地中に埋設された地中蓄熱部であり、地中蓄熱部に蓄熱された熱は、空調装置による空調に利用可能である場合は、この地中蓄熱部は、周囲地盤が断熱材の働きをするので、簡易な構造で実施することができる。
【００４２】
このような本発明の建物は、上記した本発明の空調システムを備えた構成とされている。
【００４３】
上記した構成なので、上記した本発明の空調装置の効果を奏する建物とすることができる。
【図面の簡単な説明】
【００４４】
【図１】実施例１の空調システムを備えた建物の概略構成を示す説明図である。
【図２】実施例１の空調システムの制御装置の概略構成を示すブロック図である。
【図３】実施例１の空調装置としてのエアコンディショナーの屋内機の出力と成績係数（ＣＯＰ）との関係特性の一例を示したグラフである。
【図４】実施例２の空調システムを備えた建物の概略構成を示す説明図である。
【図５】実施例３の空調システムを備えた建物の概略構成を示す説明図である。
【図６】実施例３の空調システムを備えた建物における蓄熱材の部分を拡大して示す拡大図である。
【図７】実施例４の空調システムを備えた建物における蓄熱材の部分を拡大して示す拡大図である。
【図８】実施例５の空調システムを備えた建物の概略構成を示す説明図である。
【発明を実施するための形態】
【００４５】
以下、本発明を実施するための形態を、図面に示す実施例１〜５に基づいて説明する。
【実施例１】
【００４６】
先ず、実施例１の構成について説明する。
【００４７】
図１は、実施例１の空調システムを備えた建物１の概略構成を示している。
【００４８】
この建物１は、断熱基礎として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００４９】
そして、この天井部１ｅと外壁部１ｄとに囲まれる空間は、床部１ａによって蓄熱手段としての床下空間３と居室などに用いられる屋内空間としての床上空間６とが区切られた構成となっている。
【００５０】
また、基礎側壁コンクリート１ｃの床下空間３側には、グラスウールなどの断熱材２が取り付けられており、床下空間３内の熱が屋外に極力漏れない断熱構造となっている。
【００５１】
そして、床下空間３内には、吹出型の空調装置としてのエアコンディショナーの屋内機５が設置されている。
【００５２】
ここで、このエアコンディショナーの屋内機５は、ヒートポンプ式であり、熱媒循環管路４１ａ，４１ｂにより、建物１の屋外に設置された屋外機４と接続されている。
【００５３】
また、このエアコンディショナーの屋内機５は、除湿機能を有し、床下空間３から屋外へ貫通する排水用のドレイン７が設けられている。
【００５４】
さらに、このエアコンディショナーの屋内機５は、吸込部５１と、床上用吹出部５２，５２と、床下用吹出部５３とを有している。
【００５５】
また、このエアコンディショナーの屋内機５には、床上用吹出部５２，５２及び床下用吹出部５３から空気を様々な強さで吹き出させることが可能なファン（図示せず）と、制御部５４と、記憶部５５とが内蔵されている。
【００５６】
さらに、床上用吹出部５２，５２と床下用吹出部５３とには、電動ダンパーなどから成る開閉弁５２ａ，５３ａがそれぞれ設けられている。
【００５７】
また、このエアコンディショナーの屋内機５には、制御部５４に床下空間３の温度データを有線又は無線で送る蓄熱量計測手段としての床下温度センサー５ａが取り付けられている。
【００５８】
さらに、床部１ａには、グリル付きの、排気口９と、２種類の給気口１０，１０，１１とが設けられている。
【００５９】
ここで、給気口１０，１０は、ダクト８２により、エアコンディショナーの屋内機５の床上用吹出部５２とそれぞれ接続されており、別の給気口１１は、ダクトを介さず、床下空間３と直接連通している。
【００６０】
また、エアコンディショナーの屋内機５の吸込部５１と排気口９との間もダクト８１で接続されている。
【００６１】
さらに、エアコンディショナーの屋外機４には、外気温度センサー４ａが設けられ、この外気温度センサー４ａは、制御部５４と有線又は無線で接続されている。
【００６２】
また、床上空間６内には、コントローラとしてのリモートコントローラ１３が設けられている。
【００６３】
さらに、このリモートコントローラ１３には、制御部５４に床上空間６の温度データを有線又は無線で送る内気温度センサー１３ａが内蔵されている。
【００６４】
次に、実施例１の空調システムの制御について説明する。
【００６５】
図２は、実施例１の空調システムの制御装置Ｓの概略構成を示している。
【００６６】
この実施例１の空調システムの制御装置Ｓは、蓄熱量計測手段としての床下温度センサー５ａが設けられた吹出型の空調装置としてのエアコンディショナーの屋内機５に内蔵された制御部５４及び記憶部５５と、屋外機４に設けられた外気温度センサー４ａと、内気温度センサー１３ａが内蔵されたコントローラとしてのリモートコントローラ１３とから主に構成される。
【００６７】
そして、空調装置としてのエアコンディショナーの屋内機５の出力と成績係数（ＣＯＰ）との関係特性から導き出されたデータとして、エアコンディショナーの屋内機５を成績係数（ＣＯＰ）が略最大の出力で運転させることができる値が記憶されている。
【００６８】
ここで、図３は、空調装置としてのエアコンディショナーの屋内機５の出力と成績係数（ＣＯＰ）との関係特性の一例を示したグラフである。
【００６９】
この図３のグラフでは、エアコンディショナーの屋内機５の出力が、２．３〜３．０ｋＷのときに、４．５に近い略最大の成績係数（ＣＯＰ）となるので、２．３〜３．０ｋＷをこの値として記憶する。
【００７０】
なお、空調装置としてのエアコンディショナーの屋内機５の出力と成績係数（ＣＯＰ）との関係特性は、外気温度により変化するので、記憶部５５には、建物１の屋外の想定される様々な外気温度に対応した値が記憶されている。
【００７１】
そして、エアコンディショナーの屋内機５は、この制御装置Ｓによる制御での運転時には、以下の処理がなされる。
【００７２】
先ず、外気温度センサー４ａで検知した建物１の屋外の外気温度の温度データが有線又は無線で制御部５４に送られる。
【００７３】
これを受けて、制御部５４は、記憶部５５に記憶されたこの外気温度における成績係数（ＣＯＰ）が略最大となる出力を参照して、この出力となるように、エアコンディショナーの屋内機５を運転する。
【００７４】
ここで、内気温度センサー１３ａが検知した検知結果が、記憶部５５に記憶された床上空間６の設定温度に達していないときは、制御部５４は、床上用吹出部５２，５２のみから空調空気（暖気又は冷気）を吹き出させる。
【００７５】
また、記憶部５５に記憶された床上空間６の設定温度は幅を有しており、内気温度センサー１３ａが、この設定温度の範囲内に達したことを検知すると、床下用吹出部５３からも空調空気（暖気又は冷気）を吹き出させる。
【００７６】
そして、蓄熱量計測手段としての床下温度センサー５ａが目標値の床下温度を検知すると、制御部５４は、蓄熱手段としての床下空間３が目標の蓄熱量に達したとみなし、エアコンディショナーの屋内機５の運転を停止する。
【００７７】
なお、内気温度センサー１３ａが、暖房時には、設定温度の範囲内の下限値を下回ったことを検知すると、冷房時には、設定温度の範囲内の上限値を上回ったことを検知すると、制御部５４は、上記した制御を再度繰り返して行う。
【００７８】
次に、実施例１の空調システムの制御の具体例について説明する。
【００７９】
先ず、冬場などの寒期における暖房時では、リモートコントローラ１３により、床上空間６内の設定温度を２５〜２８℃とする自動空調運転をオンとする操作が行われると、制御部５４は、エアコンディショナーの屋内機５の床上用吹出部５２，５２のみから空調空気としての暖気を吹き出させ、即効性を有する床上暖房により床上空間６内を暖める。
【００８０】
床上空間６内の内気温度センサー１３ａが設定温度の下限値である２５℃を検知すると、制御部５４は、エアコンディショナーの屋内機５の床下用吹出部５３からも空調空気としての暖気を吹き出させ、床下空間３内も暖める。
【００８１】
すなわち、この間は、床上空間６は、即効性を有する床上暖房と均一にムラなく暖める床下暖房との両方で暖められる。
【００８２】
そして、蓄熱量計測手段としての床下温度センサー５ａが目標値である３０℃の床下温度を検知すると、制御部５４は、蓄熱手段としての床下空間３が目標の蓄熱量に達したとみなし、エアコンディショナーの屋内機５の運転を停止する。
【００８３】
ここで、床上空間６内の余熱と、床下空間３に蓄熱した熱による床暖房により、床上空間６内が設定温度の２５〜２８℃内にある間はエアコンディショナーの屋内機５の運転を停止したままとし、内気温度センサー１３ａが、設定温度の下限値である２５℃を下回ったことを検知すると、制御部５４は、上記した制御を再度繰り返して行う。
【００８４】
次に、夏場などの暑期における冷房時では、リモートコントローラ１３により、床上空間６内の設定温度を１９〜２２℃とする自動空調運転をオンとする操作が行われると、制御部５４は、エアコンディショナーの屋内機５の床上用吹出部５２，５２のみから空調空気としての冷気を吹き出させ、即効性を有する床上冷房により床上空間６内を冷やす。
【００８５】
床上空間６内の内気温度センサー１３ａが設定温度の上限値である２２℃を検知すると、制御部５４は、エアコンディショナーの屋内機５の床下用吹出部５３からも空調空気としての冷気を吹き出させ、床下空間３内も冷やす。
【００８６】
すなわち、この間は、床上空間６は、即効性を有する床上冷房と均一にムラなく冷やす床下冷房との両方で冷やされる。
【００８７】
そして、蓄熱量計測手段としての床下温度センサー５ａが目標値である１８℃の床下温度を検知すると、制御部５４は、蓄熱手段としての床下空間３が目標の蓄熱量に達したとみなし、エアコンディショナーの屋内機５の運転を停止する。
【００８８】
ここで、床上空間６内の余熱と、床下空間３に蓄熱した熱による床冷房により、床上空間６内が設定温度の１９〜２２℃内にある間はエアコンディショナーの屋内機５の運転を停止したままとし、内気温度センサー１３ａが、設定温度の上限値である２２℃を上回ったことを検知すると、制御部５４は、上記した制御を再度繰り返して行う。
【００８９】
なお、床下用吹出部５３から冷気を吹き出す床下冷房では、床下空間３内での結露を防止するために、初めに十分な除湿を行い、床下空間３内の湿気を除いてから徐々に温度を下げた冷気を吹き出す運転がなされる。
【００９０】
次に、実施例１の作用効果について説明する。
【００９１】
このような実施例１の空調システムは、ヒートポンプ式の空調装置としてのエアコンディショナーの屋内機５により建物１の空調を行う空調システムである。
【００９２】
そして、記憶部５５と、制御部５４とを有し、記憶部５５は、エアコンディショナーの屋内機５の出力と成績係数（ＣＯＰ）との関係特性のデータを記憶しており、制御部５４は、記憶部５５に記憶されたデータに基づいて、エアコンディショナーの屋内機５を成績係数（ＣＯＰ）が略最大となる出力で運転させるとともに、エアコンディショナーの屋内機５により、一部の出力で、建物１の屋内空間としての床上空間６を設定温度に空調し、残りの出力で、蓄熱手段としての床下空間３に蓄熱する構成とされている。
【００９３】
上記した構成なので、空調装置としてのエアコンディショナーの屋内機５の出力と成績係数（ＣＯＰ）との関係特性から成績係数（ＣＯＰ）が略最大となる出力でエアコンディショナーの屋内機５を運転し、このエアコンディショナーの屋内機５により、一部の出力で、建物１の床上空間６の即効性を有する床上空調（床上暖房又は床上冷房）を行い、残りの出力で、蓄熱手段としての床下空間３に蓄熱し、この蓄熱した熱を、床上空間６を均一にムラなく空調する床下空調（床下暖房又は床下冷房）に利用することができる。
【００９４】
すなわち、ヒートポンプ式の空調装置としてのエアコンディショナーの屋内機５の出力と成績係数（ＣＯＰ）との関係特性を有効に利用し、さらなるエネルギー効率の向上を図ることができる。
【００９５】
ここで、床下空間３内に空調装置としてのエアコンディショナーの屋内機５が設置されている。
【００９６】
このため、年を通して安定した温度環境であり、通常はデッドスペースである床下空間３を有効利用することができる。
【００９７】
また、建物１の外側には、制御部５４と有線又は無線で接続された外気温度センサー４ａが設けられており、記憶部５５は、異なる外気温度に対応したエアコンディショナーの屋内機５の出力と成績係数（ＣＯＰ）との関係特性のデータを記憶しており、制御部５４は、外気温度センサー４ａで検知した外気温度に対応する記憶部５５に記憶されたデータに基づいて、エアコンディショナーの屋内機５を運転させる。
【００９８】
このため、外気温度により変化する空調装置としてのエアコンディショナーの屋内機５の出力と成績係数（ＣＯＰ）との関係特性に対応して、エアコンディショナーの屋内機５を、成績係数（ＣＯＰ）が略最大となる出力で運転することができる。
【００９９】
さらに、床上空間６には、制御部５４と有線又は無線で接続された内気温度センサー１３ａが設けられており、設定温度に達すると、制御部５４は、必要なだけの出力で、床上空間６を空調し、残りの出力で、蓄熱手段としての床下空間３に蓄熱する。
【０１００】
このため、先ずは即効性を有する床上空調（床上暖房又は床上冷房）を優先的に行い、直ちに床上空間６を設定温度とすることができる。
【０１０１】
また、床上空間６が設定温度に達するとともに、蓄熱手段としての床下空間３が目標の蓄熱量に達したときは、制御部５４は、空調装置としてのエアコンディショナーの屋内機５の運転を停止する。
【０１０２】
このため、無駄な消費電力を排除し、さらによりエネルギー効率の向上を図ることができる。
【０１０３】
さらに、床上空間６の設定温度は幅を有するようにしている。
【０１０４】
このため、空調装置としてのエアコンディショナーの屋内機５の頻繁な運転のオン・オフをしないで済む。
【０１０５】
このような実施例１の建物１は、上記した実施例１の空調システムを備えた構成とされている。
【０１０６】
上記した構成なので、上記した実施例１の空調装置の作用効果を奏する建物とすることができる。
【実施例２】
【０１０７】
次に、実施例２について説明する。
【０１０８】
なお、実施例１で説明した内容と同一乃至均等な部分の説明については同一符号を付して説明する。
【０１０９】
図４は、実施例２の空調システムを備えた建物１の概略構成を示している。
【０１１０】
この実施例２の建物１では、周囲の地中に地中蓄熱部としての地中埋設管１２が第２の蓄熱手段として埋設され、この地中埋設管１２の両端が、熱媒循環管路４２ａ，４２ｂにより、エアコンディショナーの屋外機４に接続されていることが実施例１の建物１と主に異なる。
【０１１１】
このため、蓄熱手段としての床下空間３に蓄熱する必要がないときや、床下空間３に蓄熱しても、なお余剰分の出力があるときなどに、地中埋設管１２に蓄熱しておき、エアコンディショナーの屋内機５の運転が必要となったときに、制御部５４により、この地中埋設管１２に蓄熱した熱を利用して、エアコンディショナーの屋内機５の運転を行えばよく、さらにより一層のエネルギー効率の向上を図ることができる。
【０１１２】
また、地中埋設管１２に蓄熱した熱を利用して、エアコンディショナーの屋内機５の運転を行っている間も、床上空間６の余熱と蓄熱による床下空調で設定温度を保っている間と同様に、電力を殆ど使用しないで済み、経済的である。
【０１１３】
さらに、地中埋設管１２は、建物１の周囲の地中に埋設されたものであるため、周囲地盤が断熱材の働きをするので、簡易な構造で第２の蓄熱手段を構成することができる。
【０１１４】
なお、他の構成及び作用効果については、実施例１と略同様であるので説明を省略する。
【実施例３】
【０１１５】
次に、実施例３について説明する。
【０１１６】
なお、実施例１で説明した内容と同一乃至均等な部分の説明については同一符号を付して説明する。
【０１１７】
図５は、実施例３の空調システムを備えた建物１の概略構成を示している。
【０１１８】
この実施例３の建物１では、蓄熱手段としての床下空間３内に、さらに蓄熱材としての潜熱蓄熱材１４が設けられていることが実施例１の建物１と主に異なる。
【０１１９】
より具体的には、図６に示したように、この蓄熱材としての潜熱蓄熱材１４は、床下空間３の床面にスペーサー１４ａを介して設けられている。
【０１２０】
このため、蓄熱材としての潜熱蓄熱材１４により、蓄熱手段としての床下空間３の蓄熱能力が向上する。
【０１２１】
また、蓄熱材としての潜熱蓄熱材１４は、床下空間３の床面にスペーサー１４ａを介して設けられているので、潜熱蓄熱材１４の下側からも蓄熱することができ、潜熱蓄熱材１４の蓄熱能力をより発揮させることができる。
【０１２２】
さらに、蓄熱材としては、潜熱蓄熱材１４を使用するので、潜熱蓄熱材１４は、少量で多くの蓄熱ができるうえに、必要としている時間にシフトして利用することができる性質を有するため、熱エネルギーをより効率的に用いることができる。
【０１２３】
なお、他の構成及び作用効果については、実施例１と略同様であるので説明を省略する。
【実施例４】
【０１２４】
次に、実施例４について説明する。
【０１２５】
なお、実施例１，３で説明した内容と同一乃至均等な部分の説明については同一符号を付して説明する。
【０１２６】
図７は、実施例４の空調システムを備えた建物１における蓄熱材としての潜熱蓄熱材１４の部分を拡大して示す拡大図である。
【０１２７】
この実施例４の蓄熱材としての潜熱蓄熱材１４では、複数個の潜熱蓄熱材１４０，・・・がスペーサー１４０ａをそれぞれ介して相互間に間隔を有するようにして成ることが実施例３の潜熱蓄熱材１４と主に異なる。
【０１２８】
このため、蓄熱材としての潜熱蓄熱材１４を構成する複数個の潜熱蓄熱材１４０，・・・は、上側と下側の双方から蓄熱することができ、潜熱蓄熱材１４の蓄熱能力をさらにより発揮させることができる。
【０１２９】
なお、他の構成及び作用効果については、実施例１，３と略同様であるので説明を省略する。
【実施例５】
【０１３０】
次に、実施例５について説明する。
【０１３１】
なお、実施例１で説明した内容と同一乃至均等な部分の説明については同一符号を付して説明する。
【０１３２】
図８は、実施例５の空調システムを備えた建物１の概略構成を示している。
【０１３３】
この実施例５の建物１では、屋内空間４を空調するために空調装置としてのエアコンディショナーの屋内機５の床上用吹出部５２と屋内空間４の床部１ａの給気口１０との間に設けられたダクト８２内に蓄熱材としての潜熱蓄熱材１５が設けられており、ダクト８２内の潜熱蓄熱材１５に蓄熱した熱を利用して床上空調を行うことができることが実施例１の建物１と主に異なる。
【０１３４】
より具体的には、潜熱蓄熱材１５が設けられているダクト８２の部分は、他の部分よりも口径が大きいダクトボックス８２ａとされている。
【０１３５】
このため、潜熱蓄熱材１５を設けるスペースが大きい分、蓄熱量が多いより大きな潜熱蓄熱材１５を設けることができる。
【０１３６】
また、蓄熱材としては、潜熱蓄熱材１５を使用するので、潜熱蓄熱材１５は、少量で多くの蓄熱ができるうえに、必要としている時間にシフトして利用することができる性質を有するため、熱エネルギーをより効率的に用いることができる。
【０１３７】
なお、他の構成及び作用効果については、実施例１と略同様であるので説明を省略する。
【０１３８】
以上、図面を参照して、本発明を実施するための形態を実施例１〜５に基づいて詳述してきたが、具体的な構成は、これら実施例１〜５に限らず、本発明の要旨を逸脱しない程度の設計的変更は、本発明に含まれる。
【０１３９】
例えば、上記した実施例１〜５では、建物１を、説明が簡単なように、単純な構造としたが、勿論、これに限定されず、より複雑な構造として実施してもよい。
【０１４０】
また、上記した実施例１〜５では、給気口１０を２つ設けて実施したが、これに限定されず、床上空間６の広さに合わせた数の給気口１０を設けて実施すればよい。
【０１４１】
さらに、上記した実施例１〜５では、蓄熱手段を床下空間３とし、第２の蓄熱手段を地中埋設管１２として実施したが、これに限定されず、蓄熱手段や第２の蓄熱手段を給湯用貯湯タンクなどの他の蓄熱手段として実施してもよい。
【０１４２】
また、上記した実施例３〜５では、蓄熱材として、潜熱蓄熱材１４，１５を用いて実施したが、これに限定されず、顕熱蓄熱材を用いて実施してもよい。
【符号の説明】
【０１４３】
１        建物
１ａ      床部
１ｂ      基礎底盤コンクリート
１ｃ      基礎側壁コンクリート
１ｄ      外壁部
１ｅ      天井部
２        断熱材
３        床下空間（蓄熱手段）
４        エアコンディショナーの屋外機
４ａ      外気温度センサー
４１ａ    熱媒循環管路
４１ｂ    熱媒循環管路
４２ａ    熱媒循環管路
４２ｂ    熱媒循環管路
５        エアコンディショナーの屋内機（空調装置）
５ａ      床下温度センサー（蓄熱量計測手段）
５１      吸込部
５２      床上用吹出部
５２ａ    開閉弁
５３      床下用吹出部
５３ａ    開閉弁
５４      制御部
５５      記憶部
６        床上空間（屋内空間）
７        ドレイン
８１      ダクト
８２      ダクト
８２ａ    ダクトボックス
９        排気口
１０      給気口
１１      別の給気口
１２      地中埋設管（第２の蓄熱手段）
１３      リモートコントローラ（コントローラ）
１３ａ    内気温度センサー
１４      潜熱蓄熱材（蓄熱材）
１４ａ    スペーサー
１４０    潜熱蓄熱材（蓄熱材）
１４０ａ  スペーサー
１５      潜熱蓄熱材（蓄熱材）
Ｓ        制御装置
【図１】
2014240742.tif 000003
【図２】
2014240742.tif 000004
【図３】
2014240742.tif 000005
【図４】
2014240742.tif 000006
【図５】
2014240742.tif 000007
【図６】
2014240742.tif 000008
【図７】
2014240742.tif 000009
【図８】
2014240742.tif 000010